(57)【要約】【課題】本発明によれば、防火の要件を満たし、適合可能な絶縁性質を有する廉価な断熱体を提供すること。【解決手段】本発明は、被加熱センサ、特に発熱体を用いて加熱される温度プローブの収容のための断熱体であって、前記断熱体１は、温度プローブ９および発熱体６が置かれる少なくとも２つのシェル２，４から構成され、少なくとも部分的に空気層が１５ｍｍまで前記断熱体１のシェル２，４の内壁１０と前記温度プローブ９及び前記発熱体（６）の少なくともいずれかとの間にあることを特徴とする、断熱体である。【選択図】      図１
2005172815.tif 000002
【特許請求の範囲】
【請求項１】
被加熱センサ、特に発熱体を用いて加熱される温度プローブの収容のための断熱体であって、
前記断熱体（１）は、温度プローブ（９）および発熱体（６）が置かれる少なくとも２つのシェル（２、４）から構成され、少なくとも部分的に空気層が１５ｍｍまで前記断熱体（１）のシェル（２、４）の内壁（１０）と前記温度プローブ（９）及び前記発熱体（６）の少なくともいずれかとの間にあることを特徴とする、断熱体。
【請求項２】
前記断熱体（１）はバーミキュライトからなることを特徴とする、請求項１に記載の断熱体。
【請求項３】
前記発熱体（６）はその端部（１１、１２）で前記断熱体（１）の中に係留され、前記断熱体に接触することを特徴とする、請求項１又は２のいずれかに記載の断熱体。
【請求項４】
前記発熱体（６）の接続管（１３、１４）および毛管（３）または前記発熱体（６）の接続部はブッシング（１５）を通して外部へ案内されていることを特徴とする、請求項１乃至３のいずれか１項に記載の断熱体。
【請求項５】
前記シェル（２、４）は同形状を有することを特徴とする、請求項１乃至４のいずれか１項に記載の断熱体。
【請求項６】
前記シェル（２、４）は形状嵌合式に溝ばね連結または縁部重ね合わせによって互いに噛み合うことを特徴とする、請求項１乃至５のいずれか１項に記載の断熱体。
【請求項７】
前記シェル（２、４）はクランプ、ねじ、ばねまたはケーブルコネクタで接合されることを特徴とする、請求項１乃至６のいずれか１項に記載の断熱体。
【請求項８】
前記断熱体（１）は蓄熱式暖房器具、特に蓄熱式暖房器具のスイッチング室の中に配置されることを特徴とする、請求項１乃至７のいずれか１項に記載の断熱体。
【発明の詳細な説明】
【技術分野】
【０００１】
本発明は、被加熱センサ、特に発熱体を用いて加熱する温度プローブを収容するための断熱体に関する。
【背景技術】
【０００２】
特許文献１から、実施例で温度プローブに加熱抵抗を介して熱的フィードバック信号が作用する蓄熱式暖房器具および室温の制御方法が知られている。加熱抵抗は熱的に温度プローブと結合しており、それによってここでヒータの通電時間が制御される。ヒータの接続は、温度プローブが比較器Ｐにより加熱抵抗に電圧を印加し、それによってよりヒータのプローグを加熱するので、通電時間は短くなる。
【０００３】
特許文献２から蓄熱式暖房器具の充電制御装置が知られており、この装置はそのスイッチングコンタクトの制御のために残熱プローブ（温度プローブ）と制御発熱体とを有する。制御発熱体はその入口で自体公知の制御装置によって発生される接続時間信号（ＥＤ信号）によって作動される。
【０００４】
さらに温度プローブおよび加熱抵抗を断熱体の中に入れた蓄熱式暖房器具が市場で知られている。前記装置は通常好適な断熱性質を有するケイ酸カルシウムから製造される。
【０００５】
ケイ酸カルシウムからなる前記断熱体は機械的に切削加工することができ、かつ脆性であり、好適な断熱性質を有する。
【特許文献１】ドイツ特許第３６３１５２５号
【特許文献２】ドイツ特許第４１２１３４２号
【発明の開示】
【発明が解決しようとする課題】
【０００６】
本発明の課題は、防火の要件を満たし、適合可能な絶縁性質を有する廉価な断熱体を提供することである。
【課題を解決するための手段】
【０００７】
上記課題を解決するために、本発明の第１の態様によれば、被加熱センサ、特に発熱体を用いて加熱される温度プローブの収容のための断熱体であって、前記断熱体（１）は、温度プローブ（９）および発熱体（６）が置かれる少なくとも２つのシェル（２、４）から構成され、少なくとも部分的に空気層が１５ｍｍまで前記断熱体（１）のシェル（２、４）の内壁（１０）と前記温度プローブ（９）及び前記発熱体（６）の少なくともいずれかとの間にあることを特徴とする、断熱体が提供される。
【０００８】
本発明の第２の態様によれば、上記第１の態様において、前記断熱体（１）はバーミキュライトからなることを特徴とする断熱体が提供される。
【０００９】
本発明の第３の態様によれば、上記第１又は第２の態様において、前記発熱体（６）はその端部（１１、１２）で前記断熱体（１）の中に係留され、前記断熱体に接触することを特徴とする断熱体が提供される。
【００１０】
本発明の第４の態様によれば、上記第１乃至第３の態様において、前記発熱体（６）の接続管（１３、１４）および毛管（３）または前記発熱体（６）の接続部はブッシング（１５）を通して外部へ案内されていることを特徴とする断熱体が提供される。
【００１１】
本発明の第５の態様によれば、上記第１乃至第４の態様において、前記シェル（２、４）は同形状を有することを特徴とする断熱体が提供される。
【００１２】
本発明の第６の態様によれば、上記第１乃至第５の態様において、前記シェル（２、４）は形状嵌合式に溝ばね連結または縁部重ね合わせによって互いに噛み合うことを特徴とする断熱体が提供される。
【００１３】
本発明の第７の態様によれば、上記第１乃至第６の態様において、前記シェル（２、４）はクランプ、ねじ、ばねまたはケーブルコネクタで接合されることを特徴とする断熱体が提供される。
【００１４】
本発明の第８の態様によれば、上記第１乃至第７の態様において、前記断熱体（１）は蓄熱式暖房器具、特に蓄熱式暖房器具のスイッチング室の中に配置されることを特徴とする断熱体が提供される。
【発明の効果】
【００１５】
本発明によれば、防火の要件を満たし、適合可能な絶縁性質を有する廉価な断熱体を提供することができる。
【発明を実施するための最良の形態】
【００１６】
図１は本発明の一実施の形態に係る被加熱センサの収容のための断熱体の構成図である。
【００１７】
より詳細には、（ａ）は断熱体のシェル内の発熱体および温度プローブを示す図、（ｂ）は発熱体の貫通接続部と温度プローブの毛管とを備えた断熱体の正面図である。
【００１８】
即ち、断熱体はそのため少なくとも２つの好ましくは同形状であるシェル２，４から構成される。使用する材料は、組成４７％ＳｉＯ２、０．５％ＴｉＯ２、４％Ｆｅ２Ｏ３、７％Ａｌ２Ｏ３、２１％ＭｇＯ、２％ＣａＯ、０．５％Ｎａ２Ｏ、１１％Ｋ２Ｏ、ＬＯＩ７％（Ｖ−１１００／４７５）を有する、例えばスカモル社のバーミキュライトである。この材料は成形金型で圧縮かつ結合される。シェル２，４を接合することによりこのシェル２，４は内部に中空空間を有し、その中に温度プローブ９と発熱体６が置かれる。発熱体６および温度プローブ９は、好ましい方法で断熱体１の端部に保持され、片側で接続管１３，１４ならびに温度プローブ９の毛管３が導出される。中空空間によって温度プローブ９と発熱体６が断熱体１の内壁から約５ｍｍ離れている。断熱体１の内壁とセンサもしくは発熱体６との間の間隔は、好ましくは１から８ｍｍになる。
【００１９】
絶縁体によって、プローブを一定の温度に加熱する必要がある加熱エネルギーが大幅に減少する。発熱体６および温度プローブ９を断熱体１のシェル２，４の中に密閉して保持することによって、熱損失は断熱体の外面を介してのみ生じる。さらに発熱体６および温度プローブ９が断熱体１の外部で周囲空気と接触しないことが有利である。
【００２０】
空気層５は、断熱体１の内部で温度最大約６０℃で約０．０２９Ｗ／ｍＫの熱伝導率を有する。それに対しバーミキュライトは前記温度で約０．１５Ｗ／ｍＫの熱伝導率、すなわち５倍の熱伝導率を有する。空気層５の変化によって、バーミキュライト絶縁体と空気系の全熱伝導率は約６０℃で０．０８Ｗ／ｍＫの熱伝導率を有するケイ酸カルシウム絶縁体に適合される。温度プローブ９と発熱体６のシステムは不変の状態に維持することができ、熱伝導率の適合は空気層５と断熱体１の厚さを介して行われる。
【００２１】
このように、断熱体１において、図１に示されるように、シェル２，４の中に温度プローブ９と発熱体６がある。シェル２，４の内壁１０と発熱体６も  しくは温度プローブ９との間に空気層５がある。間隔８は、好ましくは１から８ｍｍになる。発熱体６の端部１１，１２は、ブッシング１５の中の両シェル２，４の間に保持される。同様に、毛管３および接続管１３，１４はブッシング１５によって保持される。シェル２，４は、図示しない組立ソケットから離間するために脚７を有する。
【００２２】
ブッシング１５は、好ましくは片側でシェル２，４によって形成されている。シェル２，４は、好ましくは同形状に形成されており、そのためこのシェルは金型で製造できる。
【００２３】
以上詳述したように、本発明によれば、被加熱センサ、特に発熱体を用いて加熱される温度プローブの収容の為の断熱体であって、前記断熱体１は、温度プローブ９および発熱体６が置かれる少なくとも２つのシェル２，４から構成され、少なくとも部分的に空気層が１５ｍｍまで前記断熱体１のシェル２，４の内壁１０と前記温度プローブ９および／または前記発熱体６との間にあることを特徴とする断熱体が提供される。
【００２４】
前記断熱体１はバーミキュライトでもよい。前記発熱体６はその端部１１，１２で前記断熱体１の中に係留され、前記断熱体に接触するようにしてもよい。前記発熱体６の接続管１３，１４および毛管３または前記発熱体６の接続部はブッシング１５を通して外部へ案内されるようにしてもよい。前記シェル２，４は同形状を有するようにしてもよい。前記シェル２，４は形状嵌合式に溝ばね連結または縁部重ね合わせによって互いに噛み合うようにしてもよい。前記シェル２，４はクランプ、ねじ、ばねまたはケーブルコネクタで接合されるようにしてもよい。そして、前記断熱体１は蓄熱式暖房器具、特に蓄熱式暖房器具のスイッチング室の中に配置されるようにしてもよい。
【図面の簡単な説明】
【００２５】
【図１】（ａ）は断熱体のシェル内の発熱体および温度プローブを示す図、（ｂ）は発熱体の貫通接続部と温度プローブの毛管とを備えた断熱体の正面図である。
【符号の説明】
【００２６】
１…断熱体、２，４…シェル、３…毛管、５…空気層、６…発熱体、７…脚、８…間隔、９…温度プローブ、１０…内壁、１１，１２…端部、１３，１４…接続管、１５…ブッシング。
【図１】
2005172815.tif 000003